(57)【要約】【課題】冷媒と冷却水とが熱交換する水−冷媒熱交換器に、外気を導入し空冷効果をも発揮する事で、車両の発熱体の冷却水回路からラジエータ相当部品を削減し、安価で構造の簡易な冷却水回路を提供する事を目的とする。【解決手段】冷媒と、冷却水回路を有する発熱体から排熱を吸収する冷却水の該排熱から動力を回収する為に、該冷却水と冷媒とを熱交換する熱交換手段を備える車両用排熱回収装置であって、熱交換手段は、冷却水と、冷媒とを熱交換する水−冷媒熱交換器と、該水−冷媒熱交換器に対して外気を導入する導入手段とからなる事により、水−冷媒熱交換器に、外気を導入し、水−冷媒交換器内を流通する冷却水が、冷媒意外に外気とも熱交換出来るように構成する事で、ラジエータ相当部品を削減する事が可能になり、安価で構造の簡易な発熱体の冷却水回路を提供する事が可能になる。【選択図】図１
2005009789.tif 000002
【特許請求の範囲】
【請求項１】
冷媒と、車両に搭載される発熱体が有する冷却水回路を流通する冷却水とを用い、前記冷却水に含まれる排熱から動力を回収する為に、前記冷却水と前記冷媒とを熱交換する熱交換手段を備える車両用排熱回収装置であって、
前記熱交換手段は、前記冷却水回路から流入する前記冷却水と、前記冷媒とを熱交換する水−冷媒熱交換器と、
前記水−冷媒熱交換器を流通する前記冷却水が、前記外気とも熱交換するように、前記水−冷媒熱交換器に対して前記外気を導入する導入手段とからなる事を特徴とする車両用排熱回収装置。
【請求項２】
前記熱交換手段は、前記水−冷媒熱交換器の前記冷却水における下流側に前記冷却水と外気とを熱交換する水−外気熱交換器を備える事を特徴とする請求項１に記載の車両用排熱回収装置。
【請求項３】
前記冷却水回路から前記水−冷媒熱交換器へ流入する直前の前記冷却水の水温を検知する水温検知手段を備え、
前記熱交換手段は、前記水温に基づいて、前記水−冷媒熱交換器から流出した前記冷却水を、前記冷却水回路、または前記水−外気熱交換器のどちらか一方に選択的に流入するように切り替えを行う弁を備える事を特徴とする請求項２に記載の車両用排熱回収装置。
【請求項４】
前記弁は、前記水−冷媒熱交換器と前記水−外気熱交換器との間に設けられる事を特徴とする請求項２または３に記載の車両用排熱回収装置。
【請求項５】
前記水−冷媒熱交換器に流入する前記冷媒は、前記車両に搭載される空調装置が備える冷凍サイクルから分流する事を特徴とする請求項１乃至４のいずれかに記載の車両用排熱回収装置。
【請求項６】
前記導入手段は、前記外気を前記水−冷媒熱交換器に導入する吹き込み口と、
前記吹き込み口を開閉するドアと、
前記水温検知手段と接続し、前記水温と所定の水温とを比較演算し、前記比較演算した結果によって前記ドアの開閉を制御する制御手段とからなり、
前記制御手段は、前記水温検知手段が検知した前記水温が、前記所定の水温を上回っていれば、外気を水−冷媒熱交換器に導入するように前記前記ドアを開扉するよう制御する事を特徴とする請求項１乃至５のいずれかに記載の車両用排熱回収装置。
【請求項７】
前記ドアは、スリッドドアにて構成する事を特徴とする請求項６に記載の車両用排熱回収装置。
【請求項８】
前記ドアは、バタフライドアにて構成する事を特徴とする請求項６に記載の車両用排熱回収装置。
【請求項９】
前記導入手段は、前記外気を前記水−冷媒熱交換器に導入する前記吹き込み口と、
伝達される熱量によってその形状を伸張または収縮する性質を持った金属にて形成され、前記水温を伝達される伝達部を有するドア部とからなり、
前記ドア部は、前記伝達部に伝達される前記冷却水の前記水温が、前記所定の水温を上回っていれば、開扉状態になるように変形する事を特徴とする請求項１乃至５のいずれかに記載の車両用排熱回収装置。
【請求項１０】
前記水−冷媒熱交換器は、前記冷媒が流通する冷媒配管と、
前記冷媒配管の外側に密着して形成される前記冷却水が流通する冷却水配管と、
前記冷却水配管の外側に形成される冷却フィンとからなり、
前記冷却水配管は、前記冷媒配管の両側に形成される事を特徴とする請求項１乃至９のいずれかに記載の車両用排熱回収装置。
【請求項１１】
前記水−冷媒熱交換器は、前記冷媒が流通する前記冷媒配管と、
前記冷媒配管の外側に密着して形成される前記冷却水が流通する前記冷却水配管と、
前記冷却水配管の外側に形成される前記冷却フィンとからなり、
前記冷却水配管は、前記冷媒配管の片側に形成される事を特徴とする請求項１乃至９のいずれかに記載の車両用排熱回収装置。
【請求項１２】
前記水−冷媒熱交換器は、前記冷媒が流通する前記冷媒配管と、
前記冷媒配管の外側に密着して形成される前記冷却水が流通する前記冷却水配管とからなり、
前記冷却水配管は、前記冷媒配管に対し凸状に形成される事を特徴とする請求項１０または１１に記載の車両用排熱回収装置。
【発明の詳細な説明】
【０００１】
【発明の属する技術分野】
本発明は、車両の内燃機関の排熱から動力を回収する車両用排熱回収装置に関する。
【０００２】
【従来の技術】
従来から、車両に搭載される内燃機関の排熱から動力を回収する車両用排熱回収装置としては、ランキンサイクルシステム、またはスターリングエンジンなどがある。
【０００３】
ランキンサイクルシステムは、エンジンから排出される排気ガスの熱で冷媒を蒸発するまで加熱し、蒸気状態にする蒸発器と、蒸気となった冷媒が吹き付けられる事によって回転駆動力を出力するタービンと、タービンから出力される回転駆動力をエンジンの出力軸へ伝達するギア装置と、タービンに回転駆動力を出力させた蒸気状態の冷媒を冷却し、再び液化するコンデンサと、上述した循環で冷媒を圧送する圧送手段としてのポンプとからなる。
【０００４】
上述した構成により、エンジンの軸出力は増加するので、排気ガスに含まれる排熱から動力が回収される事となる。
【０００５】
また、上述したランキンサイクルシステムのその他の構成としては、エンジン本体を冷却する事で、高温になった冷却水にて冷媒を加熱、蒸発させるタイプのものもある。
【０００６】
またさらに、上述した構成のランキンサイクルシステムは独自の冷媒回路（蒸発器→膨張機（動力回収器）→コンデンサ→ポンプ→（再び）蒸発器）を有しているが、特許文献１には、車両が搭載する空調装置が有する冷媒を流通する冷凍サイクルから冷媒を分流させ、分流した冷媒を用いて動力を回収し、冷媒は再び元の空調装置の冷凍サイクルに戻す、と言うタイプのランキンサイクルシステムが提案されている。
【０００７】
【特許文献１】
特許  第２５４０７３８号公報
【０００８】
【発明が解決しようとする課題】
しかし、上述したランキンサイクルシステムに限らず、一般的な車両用排熱回収装置は、いずれも冷媒を蒸気状態にまで加熱する蒸発器を備えている。この蒸発器は排熱を含む媒体が例えば冷却水であった場合、冷却水と冷媒とを熱交換する事で、冷却水を冷却している。
【０００９】
周知の通り、エンジンはその本体を冷却する為に冷却水を循環させている。通常、冷却水は、エンジン本体から受け取った排熱をラジエータにて外気と熱交換する事で冷却している。
【００１０】
ラジエータにて外気と熱交換し、排熱を外気に放出した冷却水はまたエンジン本体に向かって流通し、再びエンジン本体から排熱を受け取る、と言う循環を繰り返す。
【００１１】
すなわち、冷却水が含む排熱から動力を回収するタイプの車両用排熱回収装置の場合、通常車両に備わっているラジエータとしての役割を（すなわち、冷却水がエンジン本体から受け取った排熱を放出させ、冷却水を冷却する役目）外気ではなく冷媒で行っている事になる。
【００１２】
本発明は上記の点に注目してなされた。すなわち、冷媒と冷却水とが熱交換する蒸発器（水−冷媒熱交換器）に、外気を導入しラジエータ的な空冷効果を持たせるように構成する事で、この蒸発器（水−冷媒熱交換器）を備えるランキンサイクルシステムを搭載した車両のエンジン系ユニットの冷却水回路からラジエータを削減し、安価に、かつ冷却水回路の構造を簡易に構成する事を目的とする。
【００１３】
【課題を解決するための手段】
請求項１に記載の車両用排熱回収装置は、冷媒と、車両に搭載される内燃機関が有する冷却水回路を流通する冷却水とを用い、前記冷却水に含まれる排熱から動力を回収する為に、前記冷却水と前記冷媒とを熱交換する熱交換手段を備える車両用排熱回収装置であって、前記熱交換手段は、前記冷却水回路から流入する前記冷却水と、前記冷媒とを熱交換する水−冷媒熱交換器と、前記水−冷媒熱交換器を流通する前記冷却水が、前記外気とも熱交換するように、前記水−冷媒熱交換器に対して前記外気を導入する導入手段とからなる事を特徴とする。
【００１４】
この発明により、冷媒と冷却水とを熱交換する水−冷媒熱交換器に、外気を導入し、水−冷媒交換器内を流通する冷却水が、冷媒だけではなく外気とも熱交換出来るように構成する事で、車両からラジエータを削減する、または小型化する事が可能になり、車両の構成を安価に、かつエンジン冷却水回路の構造を簡易に構成する事が可能になる。
【００１５】
請求項２に記載の車両用排熱回収装置は、前記熱交換手段は、前記水−冷媒熱交換器の前記冷却水における下流側に前記冷却水と外気とを熱交換する水−外気熱交換器を備える事を特徴とする。
【００１６】
導入手段によって外気を導入された水−冷媒熱交換器内を流通する冷却水は、冷媒と外気との両方に排熱を放出する事が可能となるが、それでも冷却水が望ましい水温にまで冷却されなかった場合は、水−冷媒熱交換器の冷却水における下流に設けられる水−外気熱交換器（ラジエータ）にて、更に水温を冷却する事が可能になるので、水−冷媒熱交換器（蒸発器）に外気を導入しただけでは足りなかった冷却水からの放熱を補う事が可能となる。
【００１７】
請求項３に記載の車両用排熱回収装置は、前記冷却水回路から前記水−冷媒熱交換器へ流入する前記冷却水の水温を検知する水温検知手段を備え、前記熱交換手段は、前記水温に基づいて、前記水−冷媒熱交換器から流出した前記冷却水を、前記冷却水回路、または前記水−外気熱交換器のどちらか一方に選択的に流入するように切り替えを行う弁を備える事を特徴とする。
【００１８】
エンジン本体の排熱を含む冷却水の水温は、エンジンの稼働状態によって時系列的に大幅に変化している。従って、ある時点の水温によっては、水−冷媒熱交換器が持つ冷却性能だけで十分、望ましい水温にまで冷却される場合があり、この場合だと、水−冷媒熱交換器の冷却水における下流に設けられる水−外気熱交換器にて更に冷却する必要がなくなる場合もある。
【００１９】
以上のような理由から、この発明によりエンジン本体の排熱を含む冷却水の水温が、水−冷媒熱交換器の冷却性能によって十分、望ましい水温にまで冷却可能だった場合は、冷却水は水−外気熱交換器を循環する事なく、すぐに冷却水回路に戻るように弁によって流通路が切り替えられるので、水−外気熱交換器にて排熱を無駄に捨てなくてよく、エンジンの冷却水の温度を低下させないため、動力回収効率を高める事が可能となる。
【００２０】
請求項４に記載の車両用排熱回収装置は、前記弁は、前記水−冷媒熱交換器と前記水−外気熱交換器との間に設けられる事を特徴とする。
【００２１】
この発明により、水−冷媒熱交換器と水−外気熱交換器との流路の構成をコンパクトにする事が可能となる。
【００２２】
請求項５に記載の車両用排熱回収装置は、前記水−冷媒熱交換器に流入する前記冷媒は、前記車両に搭載される空調装置が備える冷凍サイクルから分流する事を特徴とする。
【００２３】
この発明により、専用の冷媒回路（冷凍サイクル）を備える必要がなくなり、車両用排熱回収装置の構成を簡易で安価なものにする事が可能となる。
【００２４】
請求項６に記載の車両用排熱回収装置は、前記導入手段は、前記外気を前記水−冷媒熱交換器に導入する吹き込み口と、前記吹き込み口を開閉するドアと、前記水温検知手段と接続し、前記水温と所定の水温とを比較演算し、前記比較演算した結果によって前記ドアの開閉を制御する制御手段とからなり、前記制御手段は、前記水温検知手段が検知した前記水温が、前記所定の水温を上回っていれば、外気を水−冷媒熱交換器に導入するように前記ドアを開扉する制御する事を特徴とする。
【００２５】
周知の車両用排熱回収装置が備える水−冷媒熱交換器（蒸発器）を流通する冷媒は、なるべく高温の冷却水と熱交換した方が良い。その理由は、高温の冷却水と熱交換する事で膨張機入口圧力を高くすることができ、動力回収効率が高くできるからである。
【００２６】
その為、常時導入手段にて、水−冷媒熱交換器（蒸発器）に外気を導入していると、高温の冷却水は、冷媒とだけではなく外気とも熱交換するので、冷媒側から見ると、外気とも熱交換し冷めた（低い温度になった）冷却水と冷媒とが熱交換する事となり、冷媒の気化効率（蒸発化）が下がり、ひいては動力の回収率も下がる事となる。
【００２７】
この発明により、水−冷媒熱交換器（蒸発器）の冷却能力を上回る水温の冷却水が水−冷媒熱交換器に流入してきた時にだけ、水−冷媒熱交換器（蒸発器）に外気を導入するようにドアが開扉するよう制御出来るので、水−冷媒熱交換器（蒸発器）の冷却能力を上回る水温の冷却水が流入するまでは、冷媒の気化効率（蒸発化）を維持する事が可能となり、効率的な動力の回収が可能となる。
【００２８】
請求項７に記載の車両用排熱回収装置は、前記ドアは、スリッドドアにて構成する事を特徴とする。
【００２９】
この発明により、導入する外気の風圧の向きと、スリッドドアの作動方向が略垂直となり、風圧による影響を小さくする事が可能となるとともに、スリッドドアはスライドする移動距離が小さいので、ドアを開閉する機構を簡素化する事が可能となる。
【００３０】
請求項８に記載の車両用排熱回収装置は、前記ドアは、バタフライドアにて構成する事を特徴とする。
【００３１】
この発明により、開扉時に導入する外気の風圧の影響を受け難くする事が可能となり、ドアを開閉する機構を簡素化する事が可能となる。
【００３２】
請求項９に記載の車両用排熱回収装置は、前記導入手段は、前記外気を前記水−冷媒熱交換器に導入する前記吹き込み口と、伝達される熱量によってその形状を伸張または収縮する性質を持った金属にて形成され、前記水温を伝達される伝達部を有するヒンジと、前記ヒンジと接続し、前記吹き出し口を開閉する前記ドアとからなり、前記ヒンジは、前記伝達部に伝達される前記冷却水の前記水温が所定の水温を上回っていれば、前記ドアが開扉状態になるように、伸張または収縮する事を特徴とする。
【００３３】
この発明により、ドアを開閉制御する制御手段を削減する事が可能となり、導入手段の構成を簡素化する事が可能となる。
【００３４】
請求項１０に記載の車両用排熱回収装置は、前記水−冷媒熱交換器は、前記冷媒が流通する冷媒配管と、前記冷媒配管の外側に密着して形成される前記冷却水が流通する冷却水配管と、前記冷却水配管の外側に形成される冷却フィンとからなり、前記冷却水配管は、前記冷媒配管の両側に形成される事を特徴とする。
【００３５】
この発明により、水−冷媒熱交換器（蒸発器）における冷却水と外気との熱交換、すなわち空冷の冷却効率（冷媒の気化効率）を向上させる事が可能になる。
【００３６】
請求項１１に記載の車両用排熱回収装置は、前記水−冷媒熱交換器は、前記冷媒が流通する前記冷媒配管と、前記冷媒配管の外側に密着して形成される前記冷却水が流通する前記冷却水配管と、前記冷却水配管の外側に形成される前記冷却フィンとからなり、前記冷却水配管は、前記冷媒配管の片側に形成される事を特徴とする。
【００３７】
この発明により、低温時、またはエンジン本体の初期稼働時などにおいて、エンジン本体に暖気が必要な時は、空調装置を構成するコンプレッサから流出する高温、高圧の冷媒が流通する冷媒配管と、エンジン本体周囲を流通する冷却水が流通する冷却水配管とが密着構成しているので、冷媒が持つ熱によって冷却水を暖め、ひいてはエンジン本体の暖気を促進する事が可能となる。
【００３８】
請求項１２に記載の車両用排熱回収装置は、前記水−冷媒熱交換器は、前記冷媒が流通する前記冷媒配管と、前記冷媒配管の外側に密着して形成される前記冷却水が流通する前記冷却水配管とからなり、前記冷媒配管は、前記冷却水配管に対し凸状に形成される事を特徴とする。
【００３９】
この発明により、水−冷媒熱交換器に導入される外気が、凸状に形成された冷却水配管によって、通常の通気経路よりも長い通気経路を吹き抜ける事となるので、冷却水と外気との熱交換効率を向上させる事が出来るとともに、冷却フィンを削減する事が可能となるので、水−冷媒熱交換器を安価でかつ簡易に構成する事が可能となる。
【００４０】
【発明の実施の形態】
（第一実施形態）
本発明の一実施形態にかかるランキンサイクルシステム（車両用排熱回収装置）３００を図を用いて説明する。図１は本発明の車両用排熱回収装置１００を搭載した車両４００の内部の構成の概略を示した構成図である。
【００４１】
車両４００には、エンジン系ユニット１００と、空調装置２００と、車両用排熱回収装置の一種であるランキンサイクルシステム３００とが搭載されている。
【００４２】
次にエンジン系ユニット１００について説明する。
【００４３】
エンジン系ユニット１００は、エンジン本体１０と、エンジン本体１０の駆動力を後述するコンプレッサ１１０に伝達する伝達経路の一つであるエンジン本体１０側プーリ１１と、エンジン本体１０を冷却する冷却水回路内を流通する冷却水を圧送する冷却水ポンプ２０とからなる。
【００４４】
エンジン本体１０は、周知の車両用の内燃機関である。すなわち内部で発生させた熱エネルギーを継続的に機械的エネルギーに変換し、変換する事よって得た機械的エネルギーで他のものを駆動する事を目的とする装置である。
【００４５】
エンジン本体１０側プーリ１１は、エンジン本体１０が熱エネルギーを継続的に変換する事によって得た機械的エネルギー（この場合の機械的エネルギーは回転動力）をコンプレッサ１１０に伝達する、上述した伝達経路の一つである。
【００４６】
エンジン本体１０の駆動力は、エンジン本体１０側プーリ１１のあと、ベルト１１１→コンプレッサ１１０側プーリ１１２→電磁クラッチ１１３を介してコンプレッサ１１０へと伝達している。
【００４７】
このエンジン本体１０は、請求項で示す所の発熱体に相当する。
【００４８】
次に、空調装置２００について説明する。空調装置２００は、後述するランキンサイクルシステム３００に備わる冷媒回路とは別体の冷媒回路を流通する冷媒を圧縮するコンプレッサ１１０と、コンプレッサ１１０で圧縮した冷媒を凝縮液化させるコンデンサ１２０と、コンデンサ１２０で液化した冷媒を気液分離するリザーブタンク１３０と、レシーバ１３０で気液分離された冷媒のうちの液冷媒を、図示しない小孔からエバポレータ１５１内に噴射し、液化冷媒を減圧、膨張させるエキスパッションバルブ１４０と、エキスパッションバルブ１４０から噴射された液化冷媒を蒸発させる事により外部を通過する空気（外気）から熱を奪うエバポレータ１５１、ならびにエバポレータ１５１を通過した冷却空気（外気）を加熱、除湿するヒータコア１５２とからなる。
【００４９】
エバポレータ１５１にて気化し低温、低圧となった冷媒は、再びコンプレッサ１１０に吸入され、圧力を掛けられ高圧、高温の冷媒となる。
【００５０】
上述したエバポレータ１５１と、ヒータコア１５２は、あわせてクーラーユニット１５０として一体に構成されている。
【００５１】
上述したコンプレッサ１１０→コンデンサ１２０→レシーバ１３０→エキスパッションバルブ１４０→エバポレータ１５１→（再び）コンプレッサ１１０から構成される冷媒回路は冷凍サイクルと称され、コンプレッサ１１０は、冷媒を圧送する圧送装置としての機能もある。
【００５２】
次に、コンプレッサ１１０が冷媒を高圧、高温にするとともに、冷媒を圧送する為に必要な駆動力の伝達経路について説明する。
【００５３】
コンプレッサ１１０が、冷媒を圧縮するための駆動力は、後述するエンジン本体１０→エンジン本体１０側プーリ１１→ベルト１１１→コンプレッサ１１０側プーリ１１２→電磁クラッチ１１３を介して伝達される。
【００５４】
上述した電磁クラッチ１１３は、図示しないエアコンＥＣＵと電気的に接続しており、ユーザーがエアコンをＯＮすると、コンプレッサ１１０側プーリ１１２と、コンプレッサ１１０とが連動的に回転出来るように、電磁的に両者（すなわちコンプレッサ１１０とコンプレッサ１１０側プーリ１１２）を接続する制御可能な電磁石型ユニットである。
【００５５】
上述した通り、通常のコンプレッサ１１０は、エンジン本体１０から駆動力を伝達されて冷媒を圧縮、圧送しているので、この事はエンジン本体１０側から見ると、コンプレッサ１１０に伝達する駆動力は一定の負荷となっている。
【００５６】
ランキンサイクルシステム３００は、クーリングユニット２４０と、膨張器２５０と、凝縮器２６０と、受液器２７０と、冷媒用ポンプ２８０とからなる。
【００５７】
クーリングユニット２４０は、水−冷媒熱交換器２１０と、外気導入口２３０とからなる。
【００５８】
水−冷媒熱交換器２１０は、後述するエンジン系ユニット１００が備える冷却水回路から流入する高温の冷却水と、後述するランキンサイクルシステム３００が備える冷媒回路を流通する冷媒とを熱交換する周知の熱交換器である。
【００５９】
この水−冷媒熱交換器２１０は、高温の冷却水に含まれる熱量によって、冷媒を気化（蒸気化）する働きをするので、蒸発器とも称するが、本実施形態では水−冷媒熱交換器と称して説明する。
【００６０】
この水−冷媒熱交換器２１０の断面を示した説明図を図２に示す。
【００６１】
図２に示す水−冷媒熱交換器２１０は、冷媒が流通する冷媒配管２１１と、この冷媒配管２１１を両側から挟み込むように密着して構成され、内部を高温の冷却水が流通する扁平型の冷却水配管２１２と、冷却水配管２１２の冷媒配管２１１とは略対になる位置に、冷却水配管２１２に流通する冷却水と外気との熱交換を促進する為に設けられる冷却フィン２１３とからなる。
【００６２】
次に外気導入口２３０の構成を図３を用いて説明する。図３は、外気導入口２３０と上述した水−冷媒熱交換器２１０とからなるクーリングユニット２４０の全体的な断面を示す説明図である。
【００６３】
図３に示す外気導入口２３０は、車両４００の進行方向に向かって実質的に対面する位置に形成される外気取り入れ口２３１と、この外気取り入れ口２３１から異物が侵入する事を未然に防ぐ為のフィルタ２３２とからなる。
【００６４】
外気導入口２３０から導入された外気は、水−冷媒熱交換器２１０に矢印の向きにて吹き抜ける事により、冷却水配管２１２を流通している冷却水は、冷媒配管２１１を流通している冷媒だけでなく、冷却フィン２１３を介して外気にも熱量を放出（すなわち熱交換）する事が可能になる。
【００６５】
水−冷媒熱交換器２１０にて、冷却水から熱量を伝達され、高温、高圧の蒸気と化した冷媒は、次に膨張器２５０に流通する。
【００６６】
膨張器２５０は、タービン２５１と動力伝達器２５２とからなる動力回収器である。水−冷媒熱交換器２１０にて高温、高圧の蒸気と化した冷媒の圧力で、タービン２５１が回転運動を開始する。回転運動によって生じる回転駆動力は、タービン２５１の軸と、上述したコンプレッサ１１０と直列的に接続する動力伝達器２５２によってコンプレッサ１１０へ伝達される。
【００６７】
上述した通り、コンプレッサ１１０の駆動力は、後述するエンジン本体１０から伝達されるものであるが、タービン２５１からも回転駆動力を伝達されるので、エンジン本体１０のコンプレッサ１１０へ伝達する駆動力は軽減する事になる。
【００６８】
ランキンサイクルシステム３００は、上述したような作動で、冷却水に含まれるエンジン本体１０からの排熱から動力を回収している。
【００６９】
上述した構成のランキンサイクルシステム３００によって、冷媒と冷却水とが熱交換する水−冷媒熱交換器２１０に、外気を導入しラジエータ的な空冷効果をも発揮するように構成する事で、この水−冷媒熱交換器２１０を備えるランキンサイクルシステム３００を搭載した車両のエンジン系ユニット３００から、ラジエータに相当する部品を削減し、安価に、かつエンジン系ユニット３００の冷却水回路の構造を簡易に構成する事が可能になる。
【００７０】
（第二実施形態）
上述した第一実施形態で説明した構成では、クーリングユニット２４０を構成する水−冷媒熱交換器２１０は、外気導入口２３０から導入される外気に常に晒される事になるので、必然的に冷却水は常時、冷媒と外気との２つの物質と同時に熱交換をする事になる。
【００７１】
これは、エンジン系ユニット１００の冷却水回路からラジエータを削減する事には繋がるが、本来のランキンサイクルシステム（排熱回収装置）としては、排熱の回収効率が低下する原因となるおそれがある。
【００７２】
何故なら、水−冷媒熱交換器２１０の冷媒配管２１１内を流通する冷媒は、出来るだけ高温、高圧状態の蒸気とならなければ、膨張器２５０のタービン２５１を高効率に回転駆動させられないからである。
【００７３】
図１〜図３に示した水−冷媒熱交換器２１０の構成では、いくらエンジン本体１０から高温状態の冷却水が水−冷媒熱交換器２１０に流入しても、冷媒と直接的に熱交換する冷却水の熱量は、外気導入口から導入された外気と熱交換し終わった、言わば、ある程度冷めた冷却水と冷媒とが熱交換する事になる。
【００７４】
そこで、上述した問題点を解決可能な構成を図４に示す。
【００７５】
図４は、図１に示した構成に、上述した問題点を解決可能な構成を、追加した構成となっている。以下にその追加点について説明する。
【００７６】
まず、第一に、エンジン本体１０を有する冷却回路の冷却水の水温を検知する為に、水−冷媒熱交換器２１０の冷却水入口直前の配管に水温検知センサ２９１を設ける。
【００７７】
次に、外気を水−冷媒熱交換器２１０へ導入する導入手段である外気導入口２３１に、電動式のフィルムドア２３３を設ける。
【００７８】
そして、水温検知センサ２９１が検知した水温と、所定の水温とを比較演算し、その比較演算した結果に基づいて、フィルムドア２３３の開閉を制御するＥＣＵ２９０を設ける。
【００７９】
外気導入口２３１にフィルムドア２３３を設けた際のクーリングユニット２４０の断面を示す断面の構成を示す説明図を図５に示す。
【００８０】
上述した構成によって、まず、フィルムドア２３３を閉じ、外気を導入しないようにし、その上で水−冷媒熱交換器２１０に流入する高温の冷却水を冷媒とだけ熱交換するようにする。
【００８１】
こうする事で、冷却水は冷媒にだけ熱量を放出するので、引き続き冷却水回路にラジエータを設ける必要がなくなるとともに、冷却水が含む熱量を冷媒にのみ放出するので、冷媒の気化効率が高くなり、ランキンサイクルシステム１００の動力回収率を高める事が可能になる。
【００８２】
そして、水温検知センサ２９１にて検知した冷却水の水温が、水−冷媒熱交換器２１０が持つ予定熱量放出率（水−冷媒熱交換器２１０が持つ、固有の熱量回収効率の予定値の事）を上回り、冷却水が水−冷媒熱交換器２１０内を流出しても、所望する水温にまで冷却出来ないほどの水温であったならば、ＥＣＵ２９０は、フィルムドア２３３を開扉し、外気を水−冷媒熱交換器２１０へ導入し、水−冷媒熱交換器２１０を流通する冷却水が、導入した外気とも熱交換するようにすれば良い。
【００８３】
上述したＥＣＵ２９０の、水温検知センサ２９１が検知した水温に基づいてフィルムドア２３３の開閉を制御する作動を示すフローチャートを図６に示す。
【００８４】
図６に示すフローチャートのステップＳ１にて、ＥＣＵ２９０は、初期化処理の一環として、フィルムドア２３３を閉成する。
【００８５】
続くステップＳ２にて、水温検知センサ２９１が検知した水−冷媒熱交換器２１０に流入する直前の冷却水の水温（検知水温Ｔ１）を取得する。
【００８６】
続くステップＳ３にて、検知水温Ｔ１と、所定の水温Ｔ２とを比較する。この所定の水温Ｔ２とは、上述した水−冷媒熱交換器２１０が持つ予定熱量放出率に基づいて演算されるもので、水−冷媒熱交換器２１０が冷却出来る予定の水温と、エンジン本体１０に再度流入する際に望ましい冷却水の水温との和の値である。
【００８７】
例えば、水−冷媒熱交換器２１０が最大で、冷却水を約２０℃冷却出来る冷却能力（熱放出能力）を持っており、かつ、水−冷媒熱交換器２１０を流出した冷却水が、エンジン本体１０に再度流入する際に望ましい水温が約５℃であったとすると、ステップＳ３で検知水温Ｔ１と比較演算される所定の水温Ｔ２とは、約２５℃となる。
【００８８】
続くステップＳ４にて、検知水温Ｔ１が、所定の水温Ｔ２を上回っているか否かを判定し、もし上回っているならば、ステップＳ５に進み、ＥＣＵ２９０はフィルムドア２３３を開扉し、水−冷媒熱交換器２１０に外気を導入する。ステップＳ４にてフィルムドア２３３を開扉した後は、ステップＳ２に再び戻る。
【００８９】
しかし、ステップＳ４で、検知水温Ｔ１は所定の水温Ｔ２を下回っていると判定したならば、再びステップＳ２に戻る。
【００９０】
上述した構成と作動とにより、水−冷媒熱交換器２１０に外気を導入し、冷却水を冷媒と外気と同時に熱交換する構成にする事により、ランキンサイクルシステム１００における排熱の回収効率（すなわち動力の回収効率）の低下を防ぐ事が可能となる。
【００９１】
（第三実施形態）
上述した第二実施形態では、外気導入口２３１をフィルムドア２３３にて開閉する構成を示したが、このフィルムドア２３３がスリッドタイプのドアであっても良い。
【００９２】
何故なら、スリッドタイプのドアは、フィルムドア２３３よりも開閉する際の外気の風圧を受けにくく、また作動距離も短いと言う特徴がある。
【００９３】
一般的に電動式のドアの開閉とは、小さな動力で簡易な開閉構造によって行われる事が望ましい。
【００９４】
しかし、フィルムドア２３３は、図示しないがドアフィルムと巻き取り器とからなり、この巻き取り器が回転する事でドアフィルムを巻き取り、外気導入口２３１を開放する。
【００９５】
そして、巻き取り器によって巻き取られているドアフィルムは、巻き取り器とは対の位置に設けられた弾性体によって所定のテンションが常に係っており、巻き取り器がドアフィルムを開放すると、そのテンションに引っ張られて、ドアフィルムが外気導入口２３１を閉成する、と言う開閉作動をなすものである。
【００９６】
この構造は複雑で、ドアフィルムが開閉作動している最中には、外気の風圧によって、故障など影響を受けやすい事が知られている。また、巻き取り器が要する動力も大きなものである。
【００９７】
そこで外気導入口２３１の開閉を、フィルムドア２３３ではなく、構造が簡易で要する動力も、フィルムドア２３３に比して小さいスリッドタイプのドアに置き換える事によって、外気の風圧によって、故障などの影響を受けにくくするとともに、開閉作動に要する動力、作動距離も小さなものに出来る。
【００９８】
図７に、導入手段をスリッドドア２３４に変更したクーリングユニット２４０の断面の構成を示す説明図を示す。
【００９９】
（第四実施形態）
上述した第三実施形態では、外気導入口２３１をスリッドドア２３４にて開閉する構成を示したが、外気導入口２３１を開閉するドアは、スリッドドア２３４と同程度に外気の風圧の影響を受けにくい、バタフライタイプのドアであっても良い。
【０１００】
周知の通り、バタフライタイプのドアは、開閉作動が個々のバタフライドアの中心軸の自転によって、バタフライドアに掛かる風圧と略直交する形で行われるものである。従って、多少強度の高い風圧が掛かっても、ドアとしての開閉に故障を初めとする影響が発生しにくい。
【０１０１】
図８に、導入手段をバタフライドア２３５に変更したクーリングユニット２４０の断面の構成を示した説明図を示す。
【０１０２】
（第五実施形態）
上述した第二、第三、第四実施形態では、外気導入口２３１をフィルムドア２３３、スリッドドア２３４、またはバタフライドア２３５にて開閉する構成を示したが、どのドアも水温検知センサ２９１と、この水温検知センサ２９１が検知した検知水温Ｔ１と、所定の水温Ｔ２とを比較演算し、その演算結果によって開閉制御を行うＥＣＵ２９０が必要となる電動式のドアである。
【０１０３】
この水温検知センサ２９１と、ＥＣＵ２９０とを設けるとコスト的に高くなる可能性がある。
【０１０４】
その為、水温検知センサ２９１とＥＣＵ２９０とを設けなくても、冷却水の水温に応じて、外気の導入を制御する事が可能なドア（導入手段）が望まれる。
【０１０５】
以下に、その望まれる導入手段（すなわち、水温検知センサ２９１と、ＥＣＵ２９０とを設けなくても良い導入手段）の一例について図９を用いて説明する。
【０１０６】
冷却水に直接的に接触するように、冷却水配管２１２に配設される熱伝達部２３６ａと、この熱伝達部２３６ａが冷却水から伝達された熱量が、上述した所定の水温Ｔ２以上であれば、所定の形状に変形する性質を持った金属などで構成されるヒンジ部２３６ｂと、このヒンジ部２３６ｂに係合して、外気導入口２３１を開閉するドア部２３６ｃとからなる形状変形型ドア２３６を設ける。
【０１０７】
この形状変形型ドア２３６のヒンジ部２３６ｂが、伝達部２３６ａから伝達された冷却水の水温（熱量）が、上述した所定の水温Ｔ２（すなわち、水−冷媒熱交換器２１０の冷却能力を上回る水温）以上であった場合、ドア部２３６ａを開扉するように伸張、または収縮などの変形運動を行うので、水−冷媒熱交換器２１０に、所定の水温Ｔ２以上の冷却水が流入した場合、自動的に外気を導入する事が可能になる。
【０１０８】
上述した構成により、外気を水−冷媒熱交換器２１０に導入する導入手段から、水温検知センサ２９１と、ＥＣＵ２９０とを削減する事ができるので、コストを安価にする事が可能になる。
【０１０９】
（第六実施形態）
上述した第一から第五までの実施形態では、各図に示しているように、冷却水配管２１２の断面は扁平型の形状をなしている。
【０１１０】
しかし、図１０に示すように、冷却水配管２１２を断面が凸状になるように形成する事で、外気との熱交換性（放熱性）が更に高められるとともに、冷却フィン２１３を削減する事が可能になる。
【０１１１】
（第七実施形態）
上述した第一から第六までの実施形態では、クーリングユニット２４０に流入する冷却水は、水−冷媒熱交換器２１０で、冷媒または冷媒と併せて外気とともに冷却するのみであった。
【０１１２】
しかし、エンジン本体１０の駆動状態によっては、冷媒、または冷媒と外気と冷却（すなわち熱交換）するだけでは、望ましい水温にまで低下しない程、高温の冷却水が流入する場合も考えられる。
【０１１３】
そのような場合は、上述した水−冷媒熱交換器２１０の冷却水における下流側に、新たに水−外気熱交換器２２０（すなわちラジエータ）を接続する事で対応しても良い。
【０１１４】
図１１に、水−冷媒熱交換器２１０の冷却水における下流側に、新たに水−外気熱交換器２２０（ラジエータ）を設けた場合のランキンサイクルシステム３００の構成図を示す（図１１には、ランキンサイクルシステム１００の他に、エンジン系ユニット１００と、空調装置２００とを併記する）。
【０１１５】
上述した構成を取る事で、水−冷媒熱交換器２１０による冷媒と外気との並列的な熱交換だけでも望ましい水温にまで冷却する事が難しい冷却水が流入した場合にも対応する事が可能になる。
【０１１６】
（第八実施形態）
上述した第七実施形態にて示すクーリングユニット２４０の構成では、水−冷媒熱交換器２１０を流出した冷却水は、自動的に水−外気熱交換器２２０に流入する事になる。
【０１１７】
これでは、水−冷媒熱交換器２１０にて、十分望ましい水温にまで冷却している冷却水であっても、更に水−外気熱交換器２２０（ラジエータ）にて冷却される事になり、冷却水の温度が低くなる可能性がある。
【０１１８】
その為、上述した水温検知センサ２９１にて、水−冷媒熱交換器２１０で、十分望ましい水温にまで冷却する事が可能な水温の冷却水（すなわち、超高温ではなく、高温か中低温の冷却水）が水−冷媒熱交換器２１０に流入して来た事を検知した場合と、水−冷媒熱交換器２１０による冷却（すなわち、冷媒、外気の同時的熱交換）であっても、望ましい水温にまで冷却する事が難しい水温（すなわち超高温の冷却水）が流入して来た事を検知した場合とで、水−冷媒熱交換器２１０を流出した後の冷却水の冷却水流路を、最適な冷却水流路に適宜変更出来るようにする事が望ましい。
【０１１９】
ここで言う「水−冷媒熱交換器２１０を流出した後の冷却水の水温に応じた、最適な冷却水流路」とは、２系統ある。
【０１２０】
２系統のうちのまず１つは、水−冷媒熱交換器２１０に流入する冷却水が、水−冷媒熱交換器２１０のみで、十分に冷却出来うる水温の冷却水であれば、水−冷媒熱交換器２１０を流出した後は、エンジン系ユニット１００の冷却回路に直接的に戻すと言う第一の冷却水流路である。
【０１２１】
この第一の冷却水流路により、不要な冷却を防ぐことができるので、冷却水温度を高く維持することができる。これにより、動力回収効率が高くなるという特徴がある。
【０１２２】
２系統のうちのいま１つは、水−冷媒熱交換器２１０に流入する冷却水が、水−冷媒熱交換器２１０だけでは、十分冷却出来ない水温の冷却水であれば、更に冷却が必要な為に、水−冷媒熱交換器２１０を流出した後は、水−外気熱交換器２２０（ラジエータ）に流入させ、その後にエンジン系ユニット１００の冷却回路に戻すと言う第二の冷却水流路である。
【０１２３】
この第二の冷却水流路により、エンジン本体１０からの排熱量が多い場合でもエンジン本体１０に対し、安定的な冷却性能を備えると言う特徴がある。
【０１２４】
上述した第一の冷却水流路と、第二の冷却水流路とを選択的に切り替える事が可能なクーリングユニット２４０の構成を図１２に示す（図１２には、クーリングユニット２４０を備えるランキンサイクルシステム３００だけでなく、エンジン系ユニット１００、空調装置２００も併記する）。
【０１２５】
図１２に示すクーリングユニット２４０は、エンジン系ユニット１００が備える冷却回路から冷却水が流入する水−冷媒熱交換器２１０と、水−冷媒熱交換器２１０と直列的に接続し、水−冷媒熱交換器２１０から流出した冷却水を、冷却回路に戻すバイパス路２４２か、水−外気熱交換器２２０か、どちらか一方へ選択的に流通させる弁２４１と、弁２４１と接続する水−外気熱交換器２２０、そして弁２４１と冷却回路とをバイパスするように接続するバイパス路２４２と、水−冷媒熱交換器２１０に外気を導入する導入手段２３０とからなる。
【０１２６】
上述した弁２４１は、電磁式の２方弁であり、ＥＣＵ２９０と電気的に接続しており、その切り替え作動はＥＣＵ２９０が、水温検知センサ２９１が検知する水温に基づいて行う。
【０１２７】
このＥＣＵ２９０の、弁２４１の切り替え作動を示すフローチャートを図１３に示す。
【０１２８】
図１３に示すフローチャートのステップＳ１１にて、導入手段２３０（上述した各実施形態に示すどのタイプのドアでも可）を閉成する。
【０１２９】
次にステップＳ１２として、弁２４１をバイパス路２４２に接続する。
【０１３０】
上述したステップＳ１１、ステップＳ１２が初期設定処理である。
【０１３１】
続くステップＳ１３にて、ＥＣＵ２９０は、水温検知センサ２９１が検知した冷却水の水温Ｔ１を取得する。
【０１３２】
ステップＳ１４にて、検知水温Ｔ１と、所定の水温Ｔ２ならびに所定の水温Ｔ３とを各々比較演算する。
【０１３３】
ステップＳ１５にて、もし、ステップＳ１４の比較演算の結果が、検知水温Ｔ１が所定の水温Ｔ２を上回っているならば、ステップＳ１８に進み、弁２４１を水−外気熱交換器２２０（ラジエータ）に接続する。しかし、下回っていればステップＳ１３に戻る。
【０１３４】
ステップＳ１６にて、弁２４１を水−外気熱交換器２２０（ラジエータ）に接続した後は、ステプ１７に進み検知水温Ｔ１が所定の水温Ｔ３を上回っていれば、ステップＳ１６に進み、ステップＳ１１にて閉成した導入手段２３０を開扉する。（水−冷媒熱交換器２１０に外気を導入し、冷却水を冷媒ならびに外気と同時的に熱交換するように促す）下回っていればステップＳ１３に戻る。
【０１３５】
ステップＳ１８に示す処理が終了すると、ステップＳ１３に戻り、上述したステップＳ１からステップＳ１８までの処理内容を繰り返す。
【０１３６】
上述した構成と作動とにより、水−冷媒熱交換器２１０の下流の冷却水流路を、水−冷媒熱交換器２１０を流出した冷却水の水温に基づいて、最適な冷却水流路に適宜、変更する事が出来、クーリングユニット２４０の冷却効率を高める、またはその冷却性能を安定化する事が可能になる。
【０１３７】
（第九実施形態）
上述した実施形態では、冷却水が含む高い熱量を、冷媒と熱交換する事で、冷却水を冷却化する場合のみを開示した。
【０１３８】
しかし、例えば低温時またはエンジン１０の駆動初期時などは、エンジン本体１０を望ましい温度にまで上昇させる暖気を行う事がある。
【０１３９】
この暖気を促進する為に、空調装置２００が備える冷凍サイクルを流通する冷媒を用いても良い。
【０１４０】
以下に、図１４として、空調装置２００の冷凍サイクルを流通する冷媒にて、冷却水に熱量を渡し、エンジン本体１０の暖気を促進する事が出来る構成の概略を示す。
【０１４１】
空調装置２００のコンプレッサ１１０の直下流に２方弁１６０を設けるとともに、ランキンサイクルシステム３００の水−冷媒熱交換器２１０と、膨張器２５０との間の冷媒配管上に２方弁２９３を設け、この２つの２方弁、２方弁１６０と、２方弁２９３とを接続する。
【０１４２】
また、水−冷媒熱交換器２１０と、冷媒ポンプ２８０との間に、２方弁２９３を設け、前述の２方弁１６０と、コンデンサ１２０との間の冷媒配管上に合流点Ａを設け、２方弁２９３と合流点Ａとを接続する。
【０１４３】
上述した構成において、以下の作動を行う事により、低温時のエンジン本体１０の暖気を空調装置２００の冷媒にて促進する事が可能になる。
【０１４４】
まず、コンプレッサ１１０から流通してきた高温、高圧の冷媒を、２方弁１６０にてコンデンサ１２０ではなく、２方弁２９３側へ流通するように制御するとともに、同時に２方弁２９２を、膨張器２５０ではなく、水−冷媒熱交換器２１０側へ冷媒が流通するように制御する。
【０１４５】
同時に、水−冷媒熱交換器２１０から、２方弁２９３へ流通してきた冷媒を、冷媒ポンプ２８０側ではなく合流点Ａへ流通するように２方弁２９３を制御する。
【０１４６】
このようにして制御された３つの２方弁、１６０、２９２、２９３にて形成される冷媒流路にて、低温時のエンジン本体１０の断機を空調装置２００の冷媒にて促進する事が可能になる。
【０１４７】
その際の冷媒の流路を時系列的に説明する。
【０１４８】
まず、コンプレッサ１１０から高温、高圧の冷媒が２方弁１６０へ流通する。２方弁１６０にて、２方弁２９２へ流通するように切り替えられている。
【０１４９】
２方弁２９２へ到達した冷媒は、そのまま通常の冷媒流路方向とは逆方向に流通し、水−冷媒熱交換器２１０にて、低温時のエンジン本体１０から流通してきた冷却水と熱交換する。この場合の熱交換は、高温、高圧の冷媒の熱量が、低温の冷却水に伝達され、冷却水が暖められると言う事である。
【０１５０】
水−冷媒熱交換器２１０にて、冷却水を暖めた冷媒は、２方弁２９３に到達する。２方弁２９３に到達した冷媒は、２方弁１６０と、コンデンサ１２０との間に設けられた合流点Ａにて、冷凍サイクルに合流する。
【０１５１】
また、水−冷媒熱交換器２１０にて、高温、高圧の冷媒から熱量を伝達され、暖められた冷却水は、再度エンジン本体１０を循環する事で、エンジン本体１０自体を暖めるので、エンジン本体１０の暖気は促進される。
【０１５２】
以上が、低温時のエンジン本体１０を、空調装置２００の冷凍サイクルを流通する冷媒にて、暖気を促進する作動である。
【０１５３】
（第十実施形態）
また、上述した第九実施形態で示した水−冷媒熱交換器２１０での熱交換は、冷却水を暖めるとともに、冷媒を冷却する作用もある。
【０１５４】
水−冷媒熱交換器２１０を流出した冷媒は、つまるところ、２方弁２９３と、合流点Ａを介し、コンデンサ１２０にて凝縮されるものなので、水−冷媒熱交換器２１０にて、ある程度冷却し、液化しておいた方が、後工程のコンデンサ１２０の凝縮効率を高める事になる。
【０１５５】
その為、水−冷媒熱交換器２１０の構成を、単に冷媒の熱量を冷却水に伝達させるに止めるのではなく、積極的に冷媒を冷却する構成にした方が望ましい。
【０１５６】
その、積極的に水−冷媒熱交換器２１０にて冷媒を積極的に冷却する事が可能な水−冷媒熱交換器２１０の構成の例を図１５に示す。
【０１５７】
図１５に示す水−冷媒熱交換器２１０は、冷媒が流通する冷媒配管２１１と、この冷媒配管２１１と熱交換するように密着して構成され、冷却水が流通する冷却水配管２１２と、冷媒２１１を流通する冷媒が、導入手段２３０から導入された冷却風と直接的に熱交換する事が可能なように設けられた冷却フィン２１３とからなる。
【０１５８】
水−冷媒熱交換器２１０の内部の各配管の構成を、上述した構成にする事で、冷媒配管２１１は、密着構成される冷却水配管２１２を流通する冷却水だけでなく、冷却フィン２１３を介して、冷却風とも熱交換するので、より冷却化される。
【０１５９】
上述した構成の水−冷媒熱交換器２１０を、第九実施形態で示した構成と併用する事で、コンデンサ１２０の凝縮効率を高め、ひいては空調装置２００の冷房能力を向上させる事が可能になる。
【図面の簡単な説明】
【図１】本発明の第一実施形態にかかるランキンサイクルシステム３００の構成の概略を示す構成図である。
【図２】第一実施形態のランキンサイクルシステム３００を構成する水−冷媒熱交換器２１０の構成の概略を示す説明図である。
【図３】第一実施形態のランキンサイクルシステム３００を構成するクーリングユニット２４０の全体的な断面を示す説明図である。
【図４】第二実施形態のランキンサイクルシステム３００の構成の概略を示す構成図である。
【図５】第二実施形態のランキンサイクルシステム３００を構成するクーリングユニット２４０の全体的な断面を示す説明図である。
【図６】第二実施形態のランキンサイクルシステム３００において、水温検知センサ２９１が検知した水温に基づいてフィルムドア２３３の開閉を制御する作動を示すフローチャートである。
【図７】第三実施形態のランキンサイクルシステム３００の導入手段をスリッドタイプのドアにて構成したクーリングユニット２４０の断面を示す説明図である。
【図８】第四実施形態のランキンサイクルシステム３００の導入手段をバタフライタイプのドアにて構成したクーリングユニット２４０の断面を示す説明図である。
【図９】第五実施形態のランキンサイクルシステム３００の導入手段を形状変形タイプのドアにて構成したクーリングユニット２４０の断面を示す説明図である。
【図１０】第六実施形態のランキンサイクルシステム３００の冷却水配管２１２の断面を凸状に形成したクーリングユニット２４０の断面を示す説明図である。
【図１１】第七実施形態のランキンサイクルシステム３００の水−冷媒熱交換器２１０の下流側に、水−外気熱交換器２２０を接続した構成を示す構成図である。
【図１２】第八実施形態のランキンサイクルシステム３００において、第一の冷却水流路と、第二の冷却水流路とを選択的に切り替える事が可能なクーリングユニット２４０の構成を示した構成図である。
【図１３】第八実施形態のランキンサイクルシステム３００における弁２４１の切り替え作動を示すフローチャートである。
【図１４】第九実施形態のランキンサイクルシステム３００において、空調装置２００の冷凍サイクルを流通する冷媒にて、冷却水に熱量を渡し、エンジン本体１０の暖気を促進する事が出来る構成の概略を示した構成図である。
【図１５】第十実施形態のランキンサイクルシステム３００において、冷媒配管２１１に冷却フィン２１３を設けた構成を示す構成図である。
【符号の説明】
１０    エンジン本体
１１    エンジン本体１０側プーリ
２０    冷却水ポンプ
１００  エンジン系ユニット
１１０  コンプレッサ
１１１  ベルト
１１２  コンプレッサ１１０側プーリ
１１３  伝導クラッチ
１２０  コンデンサ
１３０  リザーブタンク
１４０  エキスパッションバルブ
１５０  クーラーユニット
１５１  エバポレータ
１５２  ヒータコア
１６０  ２方弁
２００  空調装置
２１０  水−冷媒熱交換器
２１１  冷媒配管
２１２  冷却水配管
２１３  冷却フィン
２２０  水−外気熱交換器（ラジエータ）
２３０  導入手段
２３１  外気取り入れ口
２３２  フィルタ
２３３  フィルムドア
２３４  スリッドドア
２３５  バタフライドア
２３６  形状変形型ドア
２４０  クーリングユニット
２４１  弁
２４２  バイパス路
２５０  膨張器
２６０  凝縮器
２７０  受液器
２８０  冷媒ポンプ
２９０  ＥＣＵ
２９１  水温検知センサ
２９２  ２方弁
２９３  ２方弁
Ａ      合流点
【図１】
2005009789.tif 000003
【図２】
2005009789.tif 000004
【図３】
2005009789.tif 000005
【図４】
2005009789.tif 000006
【図５】
2005009789.tif 000007
【図６】
2005009789.tif 000008
【図７】
2005009789.tif 000009
【図８】
2005009789.tif 000010
【図９】
2005009789.tif 000011
【図１０】
2005009789.tif 000012
【図１１】
2005009789.tif 000013
【図１２】
2005009789.tif 000014
【図１３】
2005009789.tif 000015
【図１４】
2005009789.tif 000016
【図１５】
2005009789.tif 000017